(57)【要約】【課題】認証作業を容易に行うことが可能な画像表示装置及びその制御方法、並びに画像表示システムを提供する。【解決手段】制御部２０は、画像解析部２８に指示をして、入力画像に含まれる数字を文字認識させて、入力画像の中に４桁の数字が含まれるか否かを判断する。この結果、４桁の数字が含まれる場合には、記憶部２１に記憶されている暗証番号とを照合し、両者が一致するか否かを判断する。４桁の数字が暗証番号と一致した場合には、制御部２０は、ＯＳＤ処理部２７に指示をして、ユーザ認証が正常に完了した旨をユーザに通知する。ユーザが、画像供給装置２を操作して、暗証番号を含んだ画像の表示を終了させる作業を行うと、制御部２０は、画像処理部２６に、入力画像の表示を許可する旨の通知を行って、認証処理が完了する。【選択図】図１
2008310214.tif 000002
【特許請求の範囲】
【請求項１】
画像信号が入力される画像信号入力部と、
前記画像信号に応じた画像表示を行う表示部と、
前記表示部による前記画像表示を禁止又は許可する制御部と、
前記制御部によって前記画像表示が禁止されているときに、前記画像信号入力部に入力される画像信号に基づく画像を解析する画像解析部と、
を備え、前記制御部は、前記画像解析部の解析結果に基づいて、前記画像信号に基づく画像に、前記画像表示を許可するための認証画像が含まれるか否かを判定し、当該認証画像が含まれている場合に前記画像表示を許可することを特徴とする画像表示装置。
【請求項２】
請求項１に記載の画像表示装置であって、
前記表示部による前記画像表示を許可するためのパスワード情報を記憶する記憶部をさらに備え、
前記画像解析部は、前記画像信号に基づく画像に文字が含まれる場合に、当該文字を認識して当該文字を表す文字情報を生成し、前記制御部は、生成された前記文字情報を前記パスワード情報と照合することを特徴とする画像表示装置。
【請求項３】
請求項１に記載の画像表示装置であって、
前記表示部による前記画像表示を許可するためのパスワード情報を記憶する記憶部をさらに備え、
前記画像解析部は、前記画像信号に基づく画像に、文字情報を符号化した符号化画像が含まれる場合に、当該符号化画像から前記文字情報を復号化し、前記制御部は、復号化された前記文字情報を前記パスワード情報と照合することを特徴とする画像表示装置。
【請求項４】
請求項２又は３に記載の画像表示装置であって、
前記画像解析部は、前記画像信号に基づく画像に、前記パスワード情報と照合されるべき前記文字又は前記符号化画像が含まれていることを示す識別マークが付加されている場合は、当該識別マークを検出可能であり、当該識別マークを検出した場合に前記文字の認識又は前記符号化画像の復号化を行うことを特徴とする画像表示装置。
【請求項５】
画像信号が入力される画像信号入力部と、前記画像信号に応じた画像表示を行う表示部と、前記表示部による前記画像表示を禁止又は許可する制御部と、を備えた画像表示装置の制御方法であって、
前記制御部によって前記画像表示が禁止されているときに、前記画像表示を許可するための認証画像の入力を促す第１のステップと、
前記第１のステップの後に、前記画像信号入力部に入力される画像信号に基づく画像を解析する第２のステップと、
前記第２のステップにおける解析結果に基づいて、前記画像信号に基づく画像に前記認証画像が含まれるか否かを判定する第３のステップと、
前記第３のステップにおける判定結果に基づいて、前記画像信号に基づく画像に前記認証画像が含まれる場合に、前記表示部による前記画像表示を許可する第４のステップと、
を備えたことを特徴とする画像表示装置の制御方法。
【請求項６】
画像信号を出力する画像供給装置と、前記画像供給装置から入力される前記画像信号に基づいて画像表示を行う画像表示装置と、を備えた画像表示システムであって、
前記画像表示装置は、
前記画像供給装置から前記画像信号が入力される画像信号入力部と、
前記画像信号に応じた画像表示を行う表示部と、
前記表示部による前記画像表示を禁止又は許可する制御部と、
前記画像信号に基づく画像を解析する画像解析部と、
を有し、
前記画像供給装置は、前記画像表示の許可を受けるための認証画像、及び前記画像表示装置で表示すべき画像を、前記画像表示装置に画像信号として出力する画像信号出力部を有し、
前記画像解析部は、前記制御部によって前記画像表示が禁止されているときに、前記画像信号入力部に入力される画像信号に基づく画像を解析し、前記制御部は、前記画像解析部の解析結果に基づいて、前記画像信号に基づく画像に前記認証画像が含まれるか否かを判定し、当該認証画像が含まれている場合に、前記画像供給装置から入力される画像信号に応じた画像表示を許可することを特徴とする画像表示システム。
【発明の詳細な説明】
【技術分野】
【０００１】
本発明は、入力される画像信号に応じた画像を表示する画像表示装置及びその制御方法、並びに画像表示システムに関する。
【背景技術】
【０００２】
近年、プロジェクタ等の画像表示装置の多機能化に伴って、この画像表示装置に遠隔操作で指示を行うリモコンには、多数のキーを備える必要が生じている。しかし、単純にキーを増やすだけでは、リモコンが大型化してしまうことから、キーの大きさを小さくしたり、１つのキーに複数の機能を割り当てたりする場合が多く、この結果、リモコン操作を行う際に、どのキーを操作すべきか分かりづらくなるうえ、操作自体が困難になってしまうという問題を有している。特に、暗証番号等を用いたユーザ認証を経て画像の表示を可能とする画像表示装置のリモコンには、暗証番号を入力するためのテンキー（数字入力キー）を備える必要があるため、この問題は深刻であり、操作の簡便性が求められている。
【０００３】
特許文献１には、リモコンに設けられているボタン（キー）に相当するボタン画像を、表示装置の画面に表示することが可能なグラフィックリモートコントロール画像処理装置が提案されている。この装置を用いれば、ユーザはリモコンでカーソル操作を行って、希望のボタン画像にカーソルを合わせることにより各種指示を行うことが可能になるため、実際にリモコンが備えるべきキーの数を減らせるとともに、操作が分かりやすくなるという利点を有している。
【０００４】
【特許文献１】特開２００１−３２６８２９号公報
【発明の開示】
【発明が解決しようとする課題】
【０００５】
しかしながら、特許文献１に記載のグラフィックリモートコントロール画像処理装置を用いてユーザ認証を行おうとすると、暗証番号の桁数以上のカーソル操作が必要となってしまうため、認証作業に時間を要してしまうという問題を有している。また、テンキーに相当するボタン画像が表示装置の画面に表示されてしまうことから、暗証番号が周囲の人々に漏れてしまう恐れがある。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、画像信号が入力される画像信号入力部と、前記画像信号に応じた画像表示を行う表示部と、前記表示部による前記画像表示を禁止又は許可する制御部と、前記制御部によって前記画像表示が禁止されているときに、前記画像信号入力部に入力される画像信号に基づく画像を解析する画像解析部と、を備え、前記制御部は、前記画像解析部の解析結果に基づいて、前記画像信号に基づく画像に、前記画像表示を許可するための認証画像が含まれるか否かを判定し、当該認証画像が含まれている場合に前記画像表示を許可することを特徴とする。
【０００８】
この画像表示装置によれば、画像信号に基づく画像に認証画像が含まれている場合に、制御部が画像表示を許可するため、ユーザは、認証画像を表す画像信号を画像表示装置に入力することによって、画像表示の許可を得ることができる。つまり、画像表示の許可を得るために、リモコン等を操作する必要がなくなるため、認証作業を容易に行うことが可能となる。
【０００９】
［適用例２］上記適用例に係る画像表示装置において、前記表示部による前記画像表示を許可するためのパスワード情報を記憶する記憶部をさらに備え、前記画像解析部は、前記画像信号に基づく画像に文字が含まれる場合に、当該文字を認識して当該文字を表す文字情報を生成し、前記制御部は、生成された前記文字情報を前記パスワード情報と照合するようにしてもよい。
【００１０】
この画像表示装置によれば、画像解析部が、画像に含まれる文字を認識して文字情報を生成し、制御部が、この文字情報を、記憶部に記憶されているパスワード情報と照合することにより、画像表示の許可（認証）を行う。つまり、認証画像には、パスワード情報を表す文字が含まれていればよいため、認証画像を容易に生成することが可能となる。
【００１１】
［適用例３］上記適用例に係る画像表示装置において、前記表示部による前記画像表示を許可するためのパスワード情報を記憶する記憶部をさらに備え、前記画像解析部は、前記画像信号に基づく画像に、文字情報を符号化した符号化画像が含まれる場合に、当該符号化画像から前記文字情報を復号化し、前記制御部は、復号化された前記文字情報を前記パスワード情報と照合するようにしてもよい。
【００１２】
この画像表示装置によれば、画像解析部が、画像に含まれる符号化画像から文字情報を復号化し、制御部が、この文字情報を、記憶部に記憶されているパスワード情報と照合することにより、画像表示の許可（認証）を行う。つまり、パスワード情報を符号化した画像によって認証が行われるため、パスワード情報の秘匿性を高めることが可能となる。
【００１３】
［適用例４］上記適用例に係る画像表示装置において、前記画像解析部は、前記画像信号に基づく画像に、前記パスワード情報と照合されるべき前記文字又は前記符号化画像が含まれていることを示す識別マークが付加されている場合は、当該識別マークを検出可能であり、当該識別マークを検出した場合に前記文字の認識又は前記符号化画像の復号化を行うようにしてもよい。
【００１４】
この画像表示装置によれば、画像解析部が、入力される画像に識別マークを検出した場合に、文字の認識や符号化画像の復号化を行うため、入力される画像が照合されるべき画像でない場合にも文字の認識や符号化画像の復号化を試みてしまう事態が抑制され、負荷の大きな処理である文字認識や復号化の頻度を低減することが可能となる。
【００１５】
［適用例５］本適用例に係る画像表示装置の制御方法は、画像信号が入力される画像信号入力部と、前記画像信号に応じた画像表示を行う表示部と、前記表示部による前記画像表示を禁止又は許可する制御部と、を備えた画像表示装置の制御方法であって、前記制御部によって前記画像表示が禁止されているときに、前記画像表示を許可するための認証画像の入力を促す第１のステップと、前記第１のステップの後に、前記画像信号入力部に入力される画像信号に基づく画像を解析する第２のステップと、前記第２のステップにおける解析結果に基づいて、前記画像信号に基づく画像に前記認証画像が含まれるか否かを判定する第３のステップと、前記第３のステップにおける判定結果に基づいて、前記画像信号に基づく画像に前記認証画像が含まれる場合に、前記表示部による前記画像表示を許可する第４のステップと、を備えたことを特徴とする。
【００１６】
この制御方法によれば、画像信号に基づく画像に認証画像が含まれている場合に、制御部が画像表示を許可するため、ユーザは、認証画像を表す画像信号を画像表示装置に入力することによって、画像表示の許可を得ることができる。つまり、画像表示の許可を得るために、リモコン等を操作する必要がなくなるため、認証作業を容易に行うことが可能となる。
【００１７】
［適用例６］本適用例に係る画像表示システムは、画像信号を出力する画像供給装置と、前記画像供給装置から入力される前記画像信号に基づいて画像表示を行う画像表示装置と、を備えた画像表示システムであって、前記画像表示装置は、前記画像供給装置から前記画像信号が入力される画像信号入力部と、前記画像信号に応じた画像表示を行う表示部と、前記表示部による前記画像表示を禁止又は許可する制御部と、前記画像信号に基づく画像を解析する画像解析部と、を有し、前記画像供給装置は、前記画像表示の許可を受けるための認証画像、及び前記画像表示装置で表示すべき画像を、前記画像表示装置に画像信号として出力する画像信号出力部を有し、前記画像解析部は、前記制御部によって前記画像表示が禁止されているときに、前記画像信号入力部に入力される画像信号に基づく画像を解析し、前記制御部は、前記画像解析部の解析結果に基づいて、前記画像信号に基づく画像に前記認証画像が含まれるか否かを判定し、当該認証画像が含まれている場合に、前記画像供給装置から入力される画像信号に応じた画像表示を許可することを特徴とする。
【００１８】
この画像表示システムによれば、画像供給装置から入力される画像信号に基づく画像に認証画像が含まれている場合に、画像表示装置の制御部が、表示部による画像表示を許可するため、ユーザは、認証画像を表す画像信号を画像表示装置に入力することによって、画像表示の許可を得ることができる。つまり、画像表示の許可を得るために、リモコン等を操作する必要がなくなるため、認証作業を容易に行うことが可能となる。
【００１９】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
（第１実施形態）
以下、第１実施形態に係る画像表示システムについて、図面を参照して説明する。
図１及び図２は、本実施形態の画像表示システムの概略構成を示すブロック図であり、図１は、画像表示システムを構成するプロジェクタの概略構成を示す図、図２は、画像表示システムを構成する画像供給装置の概略構成を示す図である。
図１及び図２に示すように、画像表示システム１００は、画像表示装置としてのプロジェクタ１と、プロジェクタ１に画像信号を出力する画像供給装置２とを有しており、プロジェクタ１は、画像供給装置２から入力される画像信号に基づく画像（入力画像）を投写して、スクリーンＳＣや壁面等にこの入力画像を表示する。また、本実施形態のプロジェクタ１は、暗証番号を用いてユーザの認証を行うユーザ認証機能を備えており、入力画像の表示を許可したり、禁止したりすることができる。
【００２１】
図１に示すように、プロジェクタ１は、表示部としての画像投写部１０、制御部２０、記憶部２１、操作パネル２２、リモコン２３、操作信号受信部２４、画像信号入力部２５、画像処理部２６、ＯＳＤ処理部２７、画像解析部２８、光源制御部２９等で構成されており、画像投写部１０には、光源１１、光変調装置としての３つの液晶ライトバルブ１２Ｒ，１２Ｇ，１２Ｂ、投写光学系としての投写レンズ１３、ライトバルブ駆動部１４等が含まれている。
【００２２】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０は、電源が投入されて動作を開始した直後に、暗証番号を用いたユーザ認証を行い、この認証結果に基づいて、入力画像の表示を許可したり、禁止したりするようになっている。
【００２５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されており、本実施形態では、ユーザの認証を行う際に必要となる暗証番号が、テキストデータ（文字コードの列）として記憶されている。なお、この暗証番号は、４桁の数字からなり、ユーザによって任意の値に設定することが可能になっている。
【００２６】
操作パネル２２及びリモコン２３は、入力操作部に相当するものであり、プロジェクタ１に対して各種指示を行うための複数の操作キーを備えている。操作パネル２２及びリモコン２３が備える操作キーとしては、電源のオン・オフを切り替えるための「電源キー」、各種設定を行うためのメニュー画像を表示させる「メニューキー」、メニュー画像におけるカーソルの移動等に用いられる「カーソルキー」等がある。また、リモコン２３には、暗証番号の入力等に用いられる「テンキー（１０個の数字入力キー）」が備えられている。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２７】
画像信号入力部２５には、ＰＣ（パーソナルコンピュータ）や映像再生装置等、外部の画像供給装置２とケーブルを介した接続を行うための各種接続端子が備えられ、画像供給装置２から画像信号が入力される。画像信号入力部２５は、入力される画像信号に基づいて、液晶ライトバルブ１２Ｒ，１２Ｇ，１２Ｂの各画素の階調を表す画像データ、即ち各画素に印加する駆動電圧を規定するための画像データをフレーム（画面）単位で生成し、この画像データを画像処理部２６及び画像解析部２８に順次出力する。
【００２８】
画像処理部２６は、制御部２０の指示に基づいて、画像信号入力部２５から入力される画像データに対して、明るさ、コントラスト、シャープネス、色合い等の調整や、ガンマ補正等の各種画質調整を施す。画像処理部２６で画質調整がなされた画像データは、ＯＳＤ処理部２７に出力される。
なお、制御部２０は、入力画像の表示を禁止したり許可したりする際に、画像処理部２６に対してその旨を通知するようになっている。画像処理部２６は、入力画像の表示を禁止する旨の通知を受け取ると、入力画像の表示を許可する旨の通知を受け取るまで、上記の画像データの代わりに、青色、又は黒色の無地画像を表す画像データをＯＳＤ処理部２７に出力する。
【００２９】
ＯＳＤ処理部２７は、制御部２０の指示に基づいて、メニュー画像やメッセージ画像等のＯＳＤ（オンスクリーンディスプレイ）画像を、入力画像上に重畳するための処理を行う。ＯＳＤ処理部２７は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部２７は、必要なＯＳＤ画像データをＯＳＤメモリから読み出し、入力画像の所定の位置にＯＳＤ画像が重畳されるように、画像処理部２６から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２７は、画像処理部２６から出力される画像データを、そのままライトバルブ駆動部１４に出力する。
【００３０】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣに投写される。
【００３１】
画像解析部２８は、制御部２０の指示に基づいて、入力画像、即ち、画像信号入力部２５から入力される画像データに基づく画像を解析し、解析結果を制御部２０に出力する。具体的には、画像解析部２８は、制御部２０からの上記指示を受けた後、最初に入力される１フレーム分の画像データに基づいて入力画像の解析を行い、入力画像に含まれる複数桁の数字を認識する。そして、この数字を表すテキストデータを生成して制御部２０に出力する。なお、数字の認識には、ＯＣＲ（Optical Character Recognition）に用いられているような一般的な文字認識技術を適用することができる。例えば、入力される画像データに基づいて入力画像の濃淡の分布を解析することにより、文字列（複数桁の数字）であると推定される部位（文字列部）を入力画像の中から抽出し、さらに濃淡の連結性に基づいてこの部位を１文字ずつの複数の部位に分割する。そして、分割後の各部位の濃淡のパターン（形状）と、予め記憶されている０〜９の数字のパターンとを比較することにより、各部位の数字を特定する。なお、入力画像に文字列部が含まれない場合や、パターンを比較した結果、入力画像中の文字列が数字でないと判断した場合には、画像解析部２８は、その旨を制御部２０に通知する。
【００３２】
光源制御部２９は、制御部２０の指示に基づいて、光源１１に対する電力の供給と停止とを制御し、光源１１の点灯及び消灯を切り替える。
【００３３】
一方、図２に示すように、本実施形態の画像供給装置２は、制御部４０、大容量記憶部４１、インターフェイス（Ｉ／Ｆ）部４２、キーボード４３、タッチパッド４４、ディスプレイ４５等を一体的に備えたノート型ＰＣ（パーソナルコンピュータ）で構成されている。
【００３４】
制御部４０は、ＣＰＵ４０ａ、ＲＯＭ４０ｂ、ＲＡＭ４０ｃ等からなり、大容量記憶部４１からＲＡＭ４０ｃに読み込まれたプログラムに従って、ＣＰＵ４０ａが各種処理を実行することにより、画像供給装置２の動作を統括制御する。
【００３５】
大容量記憶部４１は、例えば、ハードディスク装置によって構成され、ＯＳ（オペレーティングシステム）や、インストールされたアプリケーションプログラム、或いは、各種データ等を記憶するための記憶部として機能する。本実施形態の大容量記憶部４１には、アプリケーションプログラムとして、プレゼンテーション用原稿の作成や表示を行うためのプレゼンテーションソフトウェアや、一般的な文書の作成を行うためワードプロセッサ等がインストールされている。
【００３６】
インターフェイス部４２には、キーボード４３、タッチパッド４４、ディスプレイ４５の各種デバイスが接続されており、制御部４０は、インターフェイス部４２を介してこれらのデバイスとの間でデータの入出力を行うことができる。
【００３７】
キーボード４３は、文字や制御情報等の入力に用いられ、タッチパッド４４は、ディスプレイ４５に表示されるカーソルを移動させたり、アイコンやメニューを選択したりするためのポインティングデバイスである。ディスプレイ４５は、液晶表示装置で構成され、制御部４０の制御に基づいて画像を表示する。
【００３８】
また、インターフェイス部４２には、外部に画像信号を出力するための接続端子を備えた画像信号出力部４６が設けられており、ディスプレイ４５に表示される画像を、外部の画像表示装置にも表示させることが可能になっている。本実施形態では、画像信号出力部４６は、プロジェクタ１の画像信号入力部２５に接続されている。
【００３９】
なお、制御部４０、大容量記憶部４１、インターフェイス部４２等を備えたデスクトップ型ＰＣを画像供給装置２として用いることも可能であり、この場合には、ディスプレイやキーボード、ポインティングデバイス等は、それぞれ独立した装置で構成されて、インターフェイス部４２に接続される。
【００４０】
この画像供給装置２に電源が投入されると、ＣＰＵ４０ａは、ＲＯＭ４０ｂに記憶された起動プログラムに従ってブート処理を行い、大容量記憶部４１に記憶されているＯＳをＲＡＭ４０ｃに読み込む。その後、ユーザがキーボード４３やタッチパッド４４を操作して、アプリケーションプログラムの起動を指示すると、制御部４０は、このアプリケーションプログラムを大容量記憶部４１からＲＡＭ４０ｃに読み込んで、当該プログラムに従った動作を行う。
【００４１】
次に、プロジェクタ１の動作について、図１を参照して説明する。
プロジェクタ１の画像信号入力部２５と画像供給装置２の画像信号出力部４６とがケーブルを介して接続され、プロジェクタ１に商用電源が投入された後、操作パネル２２又はリモコン２３の電源キーが操作されると、制御部２０は、記憶部２１に記憶されている制御プログラムに従った動作を開始する。まず、制御部２０は、記憶部２１に記憶されている設定データを読み出して、設定されている動作条件でプロジェクタ１が動作するよう、設定データに応じた初期化処理を各部に施す。その後、制御部２０は、画像処理部２６に対して、入力画像の表示を禁止する旨の通知を行って画像投写部１０から無地画像を投写させた後、ユーザ認証を行うための認証処理を実施する。本実施形態では、予め設定されて記憶部２１に記憶されている暗証番号を、リモコンのテンキーを用いてユーザに入力させる態様と、この暗証番号を含んだ画像の画像信号を画像供給装置２から出力させる態様のいずれか一方によりユーザ認証を行うことができるようになっている。
【００４２】
図３は、本実施形態における認証処理を説明するためのフローチャートであり、図４〜図６は、認証処理を説明するための説明図である。
図３に示すように、ステップＳ１０１では、制御部２０は、ＯＳＤ処理部２７に指示をして、暗証番号の入力を要求するメッセージ画像Ｇｍ１を無地画像Ｇｂ上に重畳表示する（図４参照）。ユーザは、このメッセージ画像Ｇｍ１が表示されると、リモコン２３に備わるテンキーを用いて暗証番号を入力するか、或いは、画像供給装置２のキーボード４３等を操作して、暗証番号が表記された認証画像Ｇａ（図５参照）を表す画像信号を画像供給装置２から出力させることにより、認証を受けることができる。ここで、認証画像Ｇａを表す画像信号を出力させるためには、例えば、画像供給装置２の大容量記憶部４１に、画像ファイルや文書ファイル等の態様で認証画像Ｇａを予め記憶させておき、このファイルを開いて、ディスプレイ４５に認証画像Ｇａを表示させるようにしてもよいし、或いは、メッセージ画像Ｇｍ１が表示された後に、ワードプロセッサ等で新規文書を作成可能な状態として、この新規文書に暗証番号を文字入力するようにしてもよい。なお、認証画像Ｇａを画像ファイルの態様とする場合には、静止画像に限定されず動画像とすることも可能である。
【００４３】
ステップＳ１０２では、制御部２０は、画像解析部２８に指示をして、画像供給装置２から供給される入力画像の解析、即ち入力画像に含まれる数字を文字認識させて、この数字を表すテキストデータを生成させる。続くステップＳ１０３では、この解析結果に基づき、入力画像の中に４桁の数字が含まれるか否かを判断する。この結果、入力画像に４桁の数字が含まれる場合には、ステップＳ１０７に移行する。一方、４桁の数字が含まれない場合、例えば、数字が全く含まれない場合や、含まれる数字が４桁未満、或いは５桁以上の場合には、ステップＳ１０４に移行する。なお、画像供給装置２がオフ状態である等の理由により画像信号自体が入力されていない場合や、入力画像の中に４桁の数字が複数含まれる場合にもステップＳ１０４に移行する。
【００４４】
入力画像の中に４桁の数字が含まれておらず、ステップＳ１０４に移行した場合には、制御部２０は、操作信号受信部２４からの受信信号に基づいて、リモコン２３に備わるテンキーの操作が行われた否かを判断する。この結果、テンキーが操作された場合には、ステップＳ１０５に移行し、テンキーが操作されていない場合には、ステップＳ１０２に戻る。
【００４５】
テンキーが操作されてステップＳ１０５に移行した場合には、制御部２０は、操作されたキーに対応する数字（１桁）、即ち入力された数字を表す文字コードを制御部２０内のＲＡＭに記憶し、続くステップＳ１０６では、４桁の数字の入力が完了したか否かを判断する。この結果、キー入力された数字が４桁に満たない場合には、ステップＳ１０２に戻り、キー入力された数字が４桁に達した場合には、制御部２０は、ＲＡＭに記憶されている４つの文字コードを、入力された順序に従って配列して、４桁の数字を表すテキストデータを生成し、ステップＳ１０７に移行する。
【００４６】
ステップＳ１０７に移行した場合には、制御部２０は、ステップＳ１０２において画像解析部２８によって認識された４桁の数字、或いは、ステップＳ１０５においてキー入力された４桁の数字と、記憶部２１に記憶されている暗証番号とを照合し、両者が一致するか否かを判断する。４桁の数字が暗証番号と一致した場合には、ステップＳ１０８に移行し、一致しない場合には、ＲＡＭに記憶させた文字コードをクリアして、ステップＳ１０２に戻る。
【００４７】
文字認識又はキー入力された４桁の数字が暗証番号と一致して、ステップＳ１０８に移行した場合には、制御部２０は、ＯＳＤ処理部２７に指示をして、メッセージ画像Ｇｍ１の代わりに、メッセージ画像Ｇｍ２を無地画像Ｇｂ上に重畳表示して（図６参照）、ユーザ認証が正常に完了した旨をユーザに通知する。
【００４８】
なお、この時点で入力画像の表示を許可してしまうと、プロジェクタ１から認証画像Ｇａ、即ち暗証番号が投写されてしまうことから、制御部２０は、ユーザが認証画像Ｇａの表示を終了させる作業を行うのを待って、認証処理を完了させるようになっている。
具体的には、ステップＳ１０９では、制御部２０は、画像解析部２８に指示をして入力画像の解析（文字認識）を行わせ、続くステップＳ１１０では、この解析結果に基づき、入力画像の中に４桁の数字が含まれるか否かを判断する。この結果、４桁の数字が含まれる場合には、認証画像Ｇａが表示されたままの状態であるとみなして、引き続きステップＳ１０９，Ｓ１１０を繰り返す。一方、４桁の数字が含まれない場合には、ユーザが認証画像Ｇａの表示を終了させたものとみなして、ステップＳ１１１に移行する。
【００４９】
ステップＳ１１１に移行した場合には、制御部２０は、画像処理部２６に、入力画像の表示を許可する旨の通知を行って、認証処理を完了する。この結果、画像供給装置２から入力されている入力画像が、画像投写部１０から投写される。
【００５０】
以上説明したように、本実施形態の画像表示システム１００によれば、以下の効果を得ることができる。
（１）本実施形態の画像表示システム１００によれば、入力画像に認証画像Ｇａが含まれている場合に、プロジェクタ１の制御部２０が画像投写部１０による画像表示を許可するため、ユーザは、画像供給装置２から認証画像Ｇａを表す画像信号を供給することによって、入力画像を表示させることができる。つまり、画像表示の許可を得るために、リモコン２３に備わるテンキーを操作する必要がなくなるため、認証作業を容易に行うことが可能となる。
【００５１】
（２）本実施形態の画像表示システム１００によれば、画像解析部２８が、入力画像に含まれる数字を認識し、制御部２０が、この数字を、記憶部２１に記憶されている暗証番号と照合することにより、画像表示の許可（認証）を行う。つまり、認証画像Ｇａには、暗証番号が含まれていればよいため、認証画像Ｇａを容易に生成することが可能となる。
【００５２】
なお、本実施形態では、記憶部２１にテキストデータとして記憶されている暗証番号がパスワード情報に相当し、上記ステップＳ１０２において、画像解析部２８が入力画像に含まれる数字を認識して生成するテキストデータが、パスワード情報の照合対象となるべき文字情報に相当する。
【００５３】
（第２実施形態）
以下、第２実施形態に係る画像表示システムについて、図面を参照して説明する。
図７は、本実施形態の認証画像Ｇａを示す図である。
図７に示すように、本実施形態で画像供給装置２が供給する認証画像Ｇａには、暗証番号と照合されるべき数字を含む画像であることを示す識別マークＭａが付加されており、プロジェクタ１は、識別マークＭａの有無によって、入力画像に数字が含まれるか否かを判別するようになっている。また、識別マークＭａは、暗証番号の左上及び右下の２ヶ所に備わっており、暗証番号は、２つの識別マークＭａを対角とする矩形の範囲Ｒａ内に含まれている。
【００５４】
本実施形態の画像解析部２８は、制御部２０の指示に基づいて、入力画像にこの識別マークＭａが含まれるか否かを検出可能になっており、検出結果を制御部２０に出力する。また、画像解析部２８は、制御部２０の指示に基づいて、矩形の範囲Ｒａ内の文字認識を行い、この範囲Ｒａ内に含まれる４桁の数字を文字認識することができる。
【００５５】
図８は、本実施形態における認証処理を説明するためのフローチャートである。
図８に示すように、ステップＳ１２１では、制御部２０は、ＯＳＤ処理部２７に指示をして、暗証番号の入力を要求するメッセージ画像Ｇｍ１を無地画像Ｇｂ上に重畳表示する（図４参照）。
【００５６】
ステップＳ１２２では、制御部２０は、画像解析部２８に指示をして、画像供給装置２から入力される入力画像に２つの識別マークＭａが含まれるか否かを検出させる。この結果、識別マークＭａが検出された場合には、ステップＳ１２３に移行し、識別マークＭａが検出されなかった場合には、ステップＳ１２５に移行する。
【００５７】
識別マークＭａが検出されてステップＳ１２３に移行した場合には、制御部２０は、画像解析部２８に指示をして、矩形の範囲Ｒａ内に含まれる数字を文字認識させ、この数字を表すテキストデータを生成させる。続くステップＳ１２４では、制御部２０は、このテキストデータに基づき、矩形の範囲Ｒａ内に４桁の数字が含まれるか否かを判断する。この結果、４桁の数字が含まれる場合には、ステップＳ１２８に移行し、４桁の数字が含まれない場合には、ステップＳ１２２に戻る。
【００５８】
ステップＳ１２２において識別マークＭａが検出されず、ステップＳ１２５に移行した場合には、制御部２０は、操作信号受信部２４からの受信信号に基づいて、リモコン２３に備わるテンキーの操作が行われた否かを判断する。この結果、テンキーが操作された場合には、ステップＳ１２６に移行し、テンキーが操作されていない場合には、ステップＳ１２２に戻る。
【００５９】
テンキーが操作されてステップＳ１２６に移行した場合には、制御部２０は、操作されたキーに対応する数字（１桁）、即ち入力された数字を表す文字コードを制御部２０内のＲＡＭに記憶し、続くステップＳ１２７では、４桁の数字の入力が完了したか否かを判断する。この結果、キー入力された数字が４桁に満たない場合には、ステップＳ１２２に戻り、キー入力された数字が４桁に達した場合には、制御部２０は、４桁の数字を表すテキストデータを生成し、ステップＳ１２８に移行する。
【００６０】
ステップＳ１２８に移行した場合には、制御部２０は、ステップＳ１２３において画像解析部２８によって認識された４桁の数字、或いは、ステップＳ１２６においてキー入力された４桁の数字と、記憶部２１に記憶されている暗証番号とを照合し、両者が一致するか否かを判断する。４桁の数字が暗証番号と一致した場合には、ステップＳ１２９に移行し、一致しない場合には、ＲＡＭに記憶させた文字コードをクリアして、ステップＳ１２２に戻る。
【００６１】
文字認識又はキー入力された４桁の数字が暗証番号と一致して、ステップＳ１２９に移行した場合には、制御部２０は、ＯＳＤ処理部２７に指示をして、メッセージ画像Ｇｍ１の代わりに、メッセージ画像Ｇｍ２を無地画像Ｇｂ上に重畳表示して（図６参照）、ユーザ認証が正常に完了した旨をユーザに通知する。
【００６２】
ステップＳ１３０では、制御部２０は、認証画像Ｇａが表示されたままの状態であるか否かを判断するために、画像解析部２８に指示をして、入力画像に２つの識別マークＭａが含まれるか否かを検出させる。この結果、識別マークＭａが検出された場合には、認証画像Ｇａが表示されたままの状態であるとみなして、ステップＳ１３０を繰り返す。一方、識別マークＭａが含まれない場合には、ユーザが認証画像Ｇａの表示を終了させたとみなして、ステップＳ１３１に移行する。
【００６３】
ステップＳ１３１に移行した場合には、制御部２０は、画像処理部２６に、入力画像の表示を許可する旨の通知を行って、認証処理を完了する。この結果、画像供給装置２から入力されている入力画像が、画像投写部１０から投写される。
【００６４】
以上説明したように、本実施形態の画像表示システム１００によれば、以下の効果を得ることができる。
（１）本実施形態の画像表示システム１００によれば、画像供給装置２から供給される認証画像Ｇａに識別マークＭａが付加されており、プロジェクタ１は、この識別マークＭａが検出された場合にのみ、文字認識を行うようにしている。このため、入力画像に認証画像Ｇａが含まれない場合にも文字認識を試みてしまう事態が抑制され、負荷の大きな処理である文字認識の頻度を低減することが可能となる。同様に、ステップＳ１３０において、認証画像Ｇａが表示されたままの状態であるか否かを判断する際にも、文字認識を行う必要がなくなり、負荷が軽減される。
【００６５】
（変形例）
また、前記実施形態は、以下のように変更してもよい。
前記第１及び第２実施形態では、プロジェクタ１は、電源キーが操作されて動作を開始する際にユーザ認証を行うようにしているが、ユーザ認証を行うタイミングは、これに限定されない。例えば、動作を開始してから所定時間が経過したとき等にユーザ認証を行うようにしてもよい。
【００６６】
前記第１及び第２実施形態では、暗証番号の桁数を４桁としているが、これに限定されない。また、桁数をユーザにより任意に設定できるようにするとともに、桁数が一致することをも認証の用件とすれば、ユーザ認証をより強固にすることができる。
【００６７】
前記第１及び第２実施形態では、１フレーム分の画像データに基づいて数字の認識を行っているが、複数フレーム分の画像データに基づいて数字を認識するようにしてもよい。
【００６８】
前記第１及び第２実施形態では、暗証番号、即ち数字のみで構成されたパスワードによって認証を行うようにしているが、英字やその他の文字を含んだパスワードで認証を行うようにしてもよい。
【００６９】
前記第１及び第２実施形態では、認証画像Ｇａが暗証番号を表す数字を含む態様を示しているが、図９（ａ）、（ｂ）に示すように、認証画像Ｇａが、パスワード（暗証番号等）を符号化した符号化画像（バーコードや２次元コード等）を含む態様とし、画像解析部２８が、この認証画像Ｇａを復号化してパスワードを認識する構成としてもよい。或いは、電子透かしやステガノグラフィ等の技術を適用して、符号化されたパスワードが視認不能、或いは視認困難に埋め込まれた認証画像Ｇａを用い、画像解析部２８が、この認証画像Ｇａを解析してパスワードを認識可能な構成とすることも可能である。このように、認証画像Ｇａに数字等の文字を含めない態様とすれば、画像供給装置２から認証画像Ｇａを供給する際などに、パスワードが他人に認識されるのを抑制することが可能となる。
【００７０】
前記第１及び第２実施形態では、暗証番号を含んだ認証画像Ｇａによってユーザ認証を行う態様を示しているが、認証画像Ｇａは、必ずしも暗証番号等のパスワードを表すものである必要はない。例えば、所定の認証画像Ｇａを表す画像データを記憶部２１に記憶させておき、入力される画像信号とこの画像データとを直接比較して認証を行うようにしてもよい。また、所定の認証画像Ｇａの特徴量（例えば、ヒストグラムなど）を記憶部２１に記憶させておき、画像解析部２８が入力画像の特徴量を導いて、両者を照合することによって認証を行うようにしてもよい。
【００７１】
前記第２実施形態のように、認証画像Ｇａに識別マークＭａを付加したり、上記変形例のように、暗証番号を符号化した画像を認証画像Ｇａに含めたりする必要がある場合には、ユーザにとって、認証画像Ｇａを準備することが困難になることが考えられる。この場合には、例えば、プロジェクタ１の製造メーカが、プロジェクタ１の個体ごとに個別の暗証番号を予め設定しておくとともに、それぞれに対応する認証画像Ｇａを画像データの態様でユーザに提供するようにしてもよい。ユーザは、提供された画像データを、予め画像供給装置２の大容量記憶部４１等に記憶させておくことにより、ユーザ認証の際に利用することが可能となる。
或いは、暗証番号をユーザが任意に設定可能な構成にするとともに、プロジェクタ１の製造メーカが、設定した暗証番号に対応する認証画像Ｇａを画像データとして生成可能なプログラムをユーザに提供するようにしてもよい。この場合には、ユーザが、例えば、画像供給装置２にこのプログラムをインストールすることにより、認証画像Ｇａを自ら作成することが可能となる。
【００７２】
前記第１及び第２実施形態では、暗証番号の入力を要求したり、認証完了を通知したりする際に、ＯＳＤ画像を用いてメッセージ画像Ｇｍ１，Ｇｍ２を表示するようにしているが、図示しないＬＥＤ（Light Emitting Diode）インジケータ等、他の表示手段によってその旨の要求や通知を行うようにしてもよいし、図示しない音声出力手段により、音声で要求や通知を行うようにしてもよい。
【００７３】
前記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７４】
前記第１及び第２実施形態では、光源１１は、放電型の光源ランプ１１ａによって構成されているが、ＬＥＤ光源等の固体光源や、その他の光源を用いることもできる。
【００７５】
前記第１及び第２実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００７６】
【図１】第１実施形態に係るプロジェクタの概略構成を示すブロック図。
【図２】第１実施形態に係る画像供給装置の概略構成を示すブロック図。
【図３】第１実施形態における認証処理を説明するためのフローチャート。
【図４】第１実施形態における認証処理を説明するための説明図。
【図５】第１実施形態における認証処理を説明するための説明図。
【図６】第１実施形態における認証処理を説明するための説明図。
【図７】第２実施形態に係る認証画像を示す図。
【図８】第２実施形態における認証処理を説明するためのフローチャート。
【図９】（ａ）、（ｂ）は、変形例に係る認証画像を示す図。
【符号の説明】
【００７７】
１…プロジェクタ、２…画像供給装置、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…画像信号入力部、２６…画像処理部、２７…ＯＳＤ処理部、２８…画像解析部、２９…光源制御部、４０…制御部、４０ａ…ＣＰＵ、４０ｂ…ＲＯＭ、４０ｃ…ＲＡＭ、４１…大容量記憶部、４２…インターフェイス部、４３…キーボード、４４…タッチパッド、４５…ディスプレイ、４６…画像信号出力部、１００…画像表示システム、Ｇａ…認証画像、Ｇｍ１，Ｇｍ２…メッセージ画像、Ｍａ…識別マーク、ＳＣ…スクリーン。
【図１】
2008310214.tif 000003
【図２】
2008310214.tif 000004
【図３】
2008310214.tif 000005
【図４】
2008310214.tif 000006
【図５】
2008310214.tif 000007
【図６】
2008310214.tif 000008
【図７】
2008310214.tif 000009
【図８】
2008310214.tif 000010
【図９】
2008310214.tif 000011